(57)【要約】【課題】エンジンのプレ始動試験過程での燃料漏出がなく、また、エンジン運転過程での燃料の逆流が防止できる燃料フィルタ連結口の逆流防止装置を提供する。【解決手段】本発明による燃料フィルタ連結口の逆流防止装置は、燃料フィルタ側連結部と燃料ライン側連結部とが形成されたボディと；ボディに収容される１次ピストンと２次ピストンとの間に設けられるオイル室と；オイル室の外側に放射状方向に複数形成され、その入口は前記１次ピストンによって開閉され、その出口を通過した燃料が燃料フィルタ内の燃料管に流れるように形成される燃料流孔と；燃料フィルタ内の燃料管と連結口との間の燃料通孔を開閉する遮断バルブと；を含んで構成される。【選択図】図１
2005106045.tif 000002
【特許請求の範囲】
【請求項１】
燃料フィルタの連結口に差込まれる燃料フィルタ側連結部と燃料ラインが連結される燃料ライン側連結部とが形成されたボディと；
前記ボディの燃料フィルタ側連結部の内周縁側に収容される１次ピストンと２次ピストンとの間に設けられるオイル室と；
前記オイル室の外側に放射状方向に複数形成され、その入口が前記１次ピストンによって開閉され、その出口を通過した燃料が燃料フィルタ内の燃料管に流れるように形成される燃料流孔と；
燃料フィルタ内の燃料管と前記連結口との間の燃料通孔を開閉するバルブ面が一端に備えられ、他の一端に互いに反対方向の力が加えられる２次ピストンとスプリングとがそれぞれ連結される遮断バルブと；を含んで構成されることを特徴とする燃料フィルタ連結口の逆流防止装置。
【請求項２】
前記オイル室は、前記１次ピストンと２次ピストンとの作動方向が互いに反対になされるように、前記２次ピストンが収容される側のオイル室が二重の円筒形状に形成され、その先端部位の内側に折曲された形状に形成されていることを特徴とする請求項１に記載の燃料フィルタ連結口の逆流防止装置。
【請求項３】
前記遮断バルブのバルブ面内側には気密性能向上のためのゴム材のパッキングが介在されることを特徴とする請求項１に記載の燃料フィルタ連結口の逆流防止装置。
【請求項４】
前記１次ピストンの離脱防止のために前記ボディの内周面にはスナップリングが介在されることを特徴とする請求項１に記載の燃料フィルタ連結口の逆流防止装置。
【発明の詳細な説明】
【技術分野】
【０００１】
本発明は、燃料フィルタ連結口の逆流防止装置に係り、より詳しくは、燃料フィルタのハウジングの一側で燃料流入パイプ及び燃料リターンパイプを連結するための連結口の構造を改善することにより、エンジンのプレ（Ｐｒｅ）始動試験過程において燃料の漏出がなく、また、エンジン運転過程においても燃料の逆流を防止することができる燃料フィルタ連結口の逆流防止装置に関する。
【背景技術】
【０００２】
自動車は、燃料を燃焼する過程で発生する動力を利用して運行される。そのため、自動車の前方または後方側にはエンジンが搭載され、エンジンの運転に必要な燃料を保存する燃料タンクが搭載される。燃料タンクとエンジンとの間には、燃料タンクからポンピングされた燃料を移送する燃料ラインが形成されている。
この燃料ラインには、燃料タンク側からエンジン側に流れる燃料供給ラインと、エンジン側に供給されて余剰となった燃料を燃料タンク側に戻す燃料リターンラインとがある。
【０００３】
一方、自動車のエンジンは、一般的に、完成車組立ラインとは別途のエンジン工場で製作された後、適当なエンジンのプレ（Ｐｒｅ）試験を経て、基準に合格されたエンジンが完成車組立ラインに移されて車両に搭載される。
【０００４】
このようなエンジンのプレ試験過程では、エンジンが正常に運転されるか否かの試験をしている。従って、エンジンのプレ試験では、エンジンの始動のためにエンジンの一側に取付けられた燃料フィルタに、試験時間の間の運転に必要な適量の燃料が強制的に注入される。
【０００５】
そして、始動試験を通過したエンジンは、完成車組立ラインに移されて車両に搭載される。その場合、燃料フィルタの連結口を塞いでいるキャップなどを取り除くが、燃料フィルタ内に残留されていた燃料が外部に流れ出て、周辺を汚染すると共に、燃料も浪費するという問題があった。このような現象は、完成車組立ラインでだけだけではなく、エンジンの整備過程でも同じように発生する。
【特許文献１】特開２００２−８９４１１号公報
【発明の開示】
【発明が解決しようとする課題】
【０００６】
本発明の目的は、燃料フィルタのハウジングの一側に設けられる、燃料流入パイプ及び燃料リターンパイプが連結されるための連結口の構造を改善することにより、エンジンのプレ始動試験過程での燃料漏出問題、及びエンジン運転過程での燃料の逆流を防止するための燃料フィルタ連結口の逆流防止装置を提供することにある。
【課題を解決するための手段】
【０００７】
上記の目的を達成するため、本発明による燃料フィルタ連結口の逆流防止装置は、燃料フィルタの連結口に差込まれる燃料フィルタ側連結部と燃料ラインが連結される燃料ライン側連結部とが形成されたボディと；前記ボディの燃料フィルタ側連結部の内周縁側に収容される１次ピストンと２次ピストンとの間に設けられるオイル室と；前記オイル室の外側に放射状方向に複数形成され、その入口は前記１次ピストンによって開閉され、その出口を通過した燃料が燃料フィルタ内の燃料管に流れるように形成される燃料流孔と；燃料フィルタ内の燃料管と前記連結口との間の燃料通孔を開閉するバルブ面が一端に備えられ、他の一端には互いに反対方向の力が加えられる２次ピストンとスプリングとがそれぞれ連結される遮断バルブと；を含んで構成されることを特徴とする。
【０００８】
前記オイル室は、前記１次ピストンと２次ピストンとの作動方向が互いに反対になされるように、前記２次ピストンが収容される側のオイル室は二重の円筒形状に形成され、その先端部位の内側に折曲された形状に形成されることが好ましい。
【０００９】
前記遮断バルブのバルブ面内側には、気密性能向上のためのゴム材のパッキングが介在されることが好ましい。
【００１０】
前記１次ピストンの離脱防止のために、前記ボディの内周面にはスナップリングが介在されることが好ましい。
【発明の効果】
【００１１】
エンジンのプレ始動試験時及び完成車組立ラインで、燃料フィルタの連結部を通じて生じる燃料の漏出問題が解決できる。また、エンジンがプレ始動試験を準備するための段階での作業工程が短縮される。さらにまた、車両の運行を終えてエンジンの停止後にも、遮断バルブと１次ピストンによって二重のシーリングがなされるようにしたので、燃料フィルタ側から燃料ライン側に燃料が逆流される現象が防止できる。
【発明を実施するための最良の形態】
【００１２】
以下、本発明の実施例を添付図によって詳述する。
【実施例】
【００１３】
図１は、本発明による燃料の逆流防止装置を説明するための断面図である。図２は、図１のＡ−Ａ線断面図である。図３は、本発明による燃料の逆流防止装置の作動状態図である。
【００１４】
図面内に表示される図面符号３０は、本発明によって形成された燃料フィルタを示すものであり、図面符号４０は本発明によって形成された逆流防止装置を示すものである。燃料フィルタ３０は胴体の一側に、燃料供給ライン及び燃料リターンラインなどの燃料ライン２０を連結するための連結口３２が、突出形成される。
【００１５】
そして燃料フィルタ３０の連結口３２には、燃料フィルタ内に設けられる燃料管３４からの燃料が逆流されるのを防止し、燃料ライン２０からの燃料の流入が許容されるように、逆流防止装置４０が装着される。
この逆流防止装置４０は、断面図に示されるように、ボディ４１の一側に、燃料フィルタ３０の連結口３２に差込まれる燃料フィルタ側の連結部４２を形成し、また、他の一側に、燃料ライン２０が連結される燃料ライン側連結部４３を形成している。
【００１６】
そして、ボディ４１の燃料フィルタ側連結部４２の内側には、後述する遮断バルブ５０の開放作動のためのオイルが満たされるオイル室４４が設けられている。
オイル室４４を設けるために、燃料フィルタ側連結部４２は、円筒状に形成される。燃料フィルタ側連結部４２の一側では、燃料ライン２０を通じて燃料タンクからポンピングされた高圧の燃料が流入される場合、加圧力が伝達され得るように稼動可能な１次ピストン４５として、壁が構成される。
【００１７】
一方、上記のように燃料のポンピング圧力が伝達されて、１次ピストン４５の位置が移動される程度の圧力がオイル室４４に伝達された場合、１次ピストン４５の移動が許容され得るように、オイル室４４の他の一側には、２次ピストン４６が稼動可能に収容される。特に、１次ピストン４５と２次ピストン４６との作動方向が互いに反対方向に作動できるように、オイル室４４の一側は二重の円筒形状に形成されて、その先端部位が内側に折曲された形状に形成される。これは２次ピストン４６と後述する遮断バルブ５０の開放動作に利用するためである。
【００１８】
２次ピストン４６のロッドと連結される遮断バルブ５０は、連結口３２と燃料フィルタ内の燃料管３４との間に設けられる燃料通孔３６を開閉するバルブであり、２次ピストン４６のロッドと連結される側の一端をスプリング５２で弾力支持し、燃料通孔３６側の一端にバルブ面５１を設けている。なお、バルブ面５１には、燃料通孔３６の気密維持のためにパッキング５３が介在される。
【００１９】
そして、１次ピストン４５が、燃料ライン２０から加えられる燃料の圧力によって後進した場合に、燃料ライン２０の燃料が燃料通孔３６側に誘導されるように、オイル室４４の外側、燃料フィルタ側連結部４２の途中には放射状方向に複数の燃料流孔４７が形成される。燃料流孔４７の入口４７ａは、１次ピストン４５の位置に形成され、１次ピストン４５の動作によって開閉されるように形成される。即ち、１次ピストン４５が燃料ライン２０の燃料圧によって後進すると同時に、燃料流孔４７の入口４７ａが開かれるようになり、燃料は燃料流孔４７を通じて遮断バルブ５０側に誘導される。
【００２０】
そして、１次ピストン４５が、オイル室４４内のオイル圧力によって、外側に離脱されないように、ボディ４１の内周面途中には、スナップリング４８が装着される。
【００２１】
次に、以上のように構成された燃料の逆流防止装置の作動状態を説明する。
【００２２】
自動車に搭載されるエンジンは、完成車組立ラインに移される前に、エンジンプレ試験を経る。この過程で燃料フィルタの内部にはエンジンの始動試験のための所定量の燃料が満たされる。この過程で、逆流防止装置４０が装着されていれば、燃料フィルタ３０の連結口３２を通じて燃料が漏れることはない。従って、エンジンのプレ始動試験過程で、燃料の漏油を防止するために実施する、別途のキャップなどを利用した燃料フィルタの連結口を塞ぐ作業を省略することができる。さらに、プレ始動試験を終えたエンジンが、完成車組立ラインに移動され、完成車組立ラインで、燃料タンクからの燃料ラインが連結される工程においても、上記の連結フィルタ３０の連結口３２から、始動試験のために注入した残留燃料が漏れるような現象を発生しない。
【００２３】
そして、車両の運行のためにエンジンが始動される場合には、燃料ライン２０を通じて、ポンプによって燃料タンク側から圧送された燃料の圧力によって、１次ピストン４５が押され、１次ピストン４５の後進作動と同時に、燃料流孔４７の入口４７ａが開放される。従って、燃料ライン２０に供給される燃料は、燃料流孔４７を通じて燃料通孔３６側に流れる。
【００２４】
この過程で、１次ピストン４５の後進と共に、オイル室４４には油圧が作用して、２次ピストン４６が前進され、２次ピストン４６の前進と共に遮断バルブ５０が図面上左側に前進されて、閉まっていた燃料通孔３６が開放される。これにより、燃料通孔３６側に誘導された燃料が燃料フィルタ内の燃料管３４に流れる。燃料フィルタ内の燃料管３４に流入される燃料は、燃料フィルタ内のフィルタエレメントなどを通過しながら濾過される。
【００２５】
一方、エンジンが停止した場合には、燃料ラインに供給された燃料の圧力が除去されることにより、２次ピストン４６を弾力支持しているスプリング５２の弾発力によって２次ピストン４６と遮断バルブ５０とが作動する。即ち、遮断バルブ５０は燃料通孔３６を塞ぐようになり、２次ピストン４６が元の位置に復帰し、１次ピストン４５も元の位置に戻る。従って、１次ピストン４５の位置復帰と共に燃料流孔４７の入口４７ａが塞がる。そして１次ピストン４５は、スナップリング４８に引っ掛り、燃料流孔４７の入口４７ａを塞ぐと共にこの状態を維持する。
【００２６】
このように、遮断バルブ５０が閉まった状態の場合には、燃料通孔３６と燃料流孔４７の入口４７ａとが同時に閉まった状態になるので、二重のシーリング効果が得られる。
【産業上の利用可能性】
【００２７】
本発明は、車両のエンジン部の燃料フィルタ連結口に適用することができる。
【図面の簡単な説明】
【００２８】
【図１】本発明の実施例で、燃料の逆流防止装置を説明するための断面図である。
【図２】図１のＡ−Ａ線断面図である。
【図３】本発明の実施例で、燃料の逆流防止装置の作動状態図である。
【符号の説明】
【００２９】
２０    燃料ライン
３０    燃料フィルタ
３２    連結口
３４    燃料フィルタ内の燃料管
３６    燃料通孔
４０    逆流防止装置
４１    ボディ
４２    燃料フィルタ側連結部
４４    オイル室
４５    １次ピストン
４６    ２次ピストン
４７    燃料流孔
４８    スナップリング
５０    遮断バルブ
５２    スプリング
５３    パッキング
【図１】
2005106045.tif 000003
【図２】
2005106045.tif 000004
【図３】
2005106045.tif 000005